(57)【要約】【課題】従来技術では、フィルターを通しクリーニングした空気を、構造体内部全体に送り込むの構造であったため、プロジェクタ自体の空気取り入れ口に送り込まれるフィルターを通しクリーニングした空気の量が、少なくなる傾向にあった。また、フィルターを通しクリーニングした空気の内部導入場所に制限があるため、構造体内部に入れるプロジェクタの空気取り入れ口に、フィルターを通しクリーニングした空気を出来るだけ多く入れたい場合、プロジェクタ自体の構造にも制限を設けなければならなかった。【解決手段】構造体内部に空気導入通路を、外装ケースの補強を行う補強用リブ及び、プロジェクタ本体を構造体内部にて保護するケースの外壁にて構成し、必要なところに必要量のフィルターを通しクリーニングした空気を送り込む構造とし、なおかつプロジェクタ自体の構造制約を不要とした構造とした。【選択図】　　　　図１
2004077639.tif 000002
【特許請求の範囲】
【請求項１】
構造体内部にプロジェクタを入れ、汚れた外気よりプロジェクタを保護する装置において、フィルターを通してクリーニングした空気を、プロジェクタの空気取り入れ口に直接送り込む空気導入通路を有した構造体で、なおかつ、その導入通路を、外装ケースの補強を行う補強用リブ及び、プロジェクタ本体を構造体内部にて保護するケースの外壁とで構成することを特徴とする構造体。
【発明の詳細な説明】
【０００１】
【発明の属する技術分野】
本発明は、飲食店などにおいて、お客に映画等の映像情報を、プロジェクタを使用して提供する際、煙草の煙等で、プロジェクタ内部のレンズが汚れてしまい、映像に乱れが生じることを防ぐために、構造体内部にプロジェクタを入れ、飲食店等の天井から釣り下げ、煙草の煙等が多量に含まれる汚れた外気より、プロジェクタを保護する装置における、フィルターを通しクリーニングした空気をプロジェクタの空気取り入れ口に直接送り込む空気導入通路を有し、なおかつ、その導入通路を、外装ケースの補強を行う補強用リブ及び、プロジェクタ本体を構造体内部にて保護するケースの外壁とで構成することを特徴とする構造体に関するものである。
【０００２】
【従来の技術】
構造体内部に入れたプロジェクタには、プロジェクタ自身の冷却のため、プロジェクタ空気取り入れ口に、クリーニングした空気を導入してやる必要がある。
従来技術では、フィルターを通しクリーニングした空気を、構造体内部全体に送り込むの構造であったため、プロジェクタ自体の空気取り入れ口に冷却用に送り込まれる、フィルターを通しクリーニングした空気の量が、構造体内部に取り込まれたフィルターを通しクリーニングした空気の量に対して少なくなる傾向にあった。そのため、必要以上にフィルターを通しクリーニングした空気の量が必要となっていた。また、フィルターを通しクリーニングした空気の内部導入場所（空気噴出し口）に制限があるため、構造体内部に入れるプロジェクタの空気取り入れ口に、フィルターを通しクリーニングした空気を出来るだけ多く入れたい場合、プロジェクタ自体の構造（空気取り入れ口の位置関係）にも制限を設けなければならなかった。
【０００３】
プロジェクタのレンズには、埃などの汚れ、曇りなどを除去してやるために、クリーニングした空気を導入してやる必要がある。
従来の技術では、フィルターを通しクリーニングした空気の内部導入場所（空気噴出し口）に制限があるため、直接プロジェクタのレンズにフィルターを通しクリーニングした空気を導入してやるためには、プロジェクタのレンズ部分の位置を内部導入場所（空気噴出し口）に、近づけてやる必要があった。
【０００４】
【発明が解決しようとする課題】
上述の如き従来の方法では、必要以上フィルターを通しクリーニングした空気を導入する必要があり、なおかつプロジェクタ自体の構造にも、制限が加えられる、という問題があった。したがって、構造体内部に取り込まれたフィルターを通しクリーニングした空気を、プロジェクタの冷却及びレンズクリーニング用に、フィルターを通しクリーニングした空気を必要としている場所に、直接送り込むことによって、構造体内部に取り込まれたフィルターを通しクリーニングした空気を、効率良く使用することが、本発明の課題である。
【０００５】
【課題を解決するための手段】
上述の課題を解決するために、構造体内部に空気導入通路を、外装ケースの補強を行う補強用リブ及び、プロジェクタ本体を構造体内部にて保護するケースの外壁にて構成し、必要なところに必要量のフィルターを通しクリーニングした空気をプロジェクタの冷却及びレンズクリーニング用に、フィルターを通しクリーニングした空気を必要としている場所に送り込む構造とし、プロジェクタ自体の構造制約を不要とした構造とし、構造体内部に取り込まれたフィルターを通しクリーニングした空気を、効率良く使用することにより、本発明に成る。
【０００６】
【発明の実施の形態】
以下図面によって本発明の実施例を説明する。
【０００７】
【実施例】
図１は、本発明の構造を示したものである。
【０００８】
空気クリーニング部３構造体内部に導入された空気は、外装２のリブ１とプロジェクタ保護ケース４にて構成された空気導入通路８を、空気の流れ７のように通る。
【０００９】
空気導入通路８を通った空気は、外装２のリブ１にて、プロジェクタ５のプロジェクタ空気導入口６に誘導される。
【００１０】
プロジェクタ５は、プロジェクタ空気導入口６から空気を取り入れ、プロジェクタ５内部の冷却に使用する。
【００１１】
プロジェクタ５内部の冷却に使用した空気は、空気排出口より構造体外部に排出される。
【００１２】
【発明の効果】
本発明になる上記の構造は、構造体内部に空気導入通路を、外装ケースの補強を行う補強用リブ及び、プロジェクタ本体を構造体内部にて保護するケースの外壁にて構成し、必要なところに必要量のフィルターを通しクリーニングした空気を送り込む構造とし、なおかつプロジェクタ自体の構造制約を不要とした構造を実現できるものである。
【図面の簡単な説明】
【図１】本発明に成る例の構造を示す。
【図２】本発明に成る例の構造を示す。
【図３】従来技術の構造を示す。
【図４】従来技術の構造を示す。
【符号の説明】
１　　　　　　リブ
２　　　　　　外装
３　　　　　　空気クリーニング部
４　　　　　　プロジェクタ保護ケース
５　　　　　　プロジェクタ
６　　　　　　プロジェクタ空気取り入れ口
７　　　　　　空気の流れ
８　　　　　　空気導入通路
９　　　　　　プロジェクタ空気排出口
１０　　　　　　空気排出口
１１　　　　　　従来技術の外装
１２　　　　　　従来技術の空気クリーニング部
１３　　　　　　従来技術のプロジェクタ保護ケース
１４　　　　　　従来技術の空気の流れ
１５　　　　　　従来技術の空気排出口
【図１】
2004077639.tif 000003
【図２】
2004077639.tif 000004
【図３】
2004077639.tif 000005
【図４】
2004077639.tif 000006
【手続補正書】
【提出日】平成15年9月16日(2003.9.16)
【手続補正２】
【補正対象書類名】明細書
【補正対象項目名】特許請求の範囲
【補正方法】変更
【補正の内容】
【特許請求の範囲】
【請求項１】
プロジェクタと、該プロジェクタ本体を保護するためのプロジェクタ保護ケースと、これらを覆うように設けられ、汚染された外気を清浄化するためのフィルターを備えた空気クリーニング部を有する外装ケースとより成るプロジェクタ保護装置構造体において、前記空気クリーニング部から、内装されたプロジェクタの空気取り入れ口に至る冷却空気の導入通路が、前記外装ケースの補強用リブと、前記プロジェクタ保護ケースの外壁とで構成されていること、を特徴とするプロジェクタ保護装置構造体。
【手続補正３】
【補正対象書類名】明細書
【補正対象項目名】０００５
【補正方法】変更
【補正の内容】
【０００５】
【課題を解決するための手段】
上述の課題を解決するために、本発明に成るプロジェクタ保護装置構造体は、プロジェクタと、該プロジェクタ本体を保護するためのプロジェクタ保護ケースと、これらを覆うように設けられ、汚染された外気を清浄化するためのフィルターを備えた空気クリーニング部を有する外装ケースとより成り、前記空気クリーニング部から、内装されたプロジェクタの空気取り入れ口に至る冷却空気の導入通路が、前記外装ケースの補強用リブと、前記プロジェクタ保護ケースの外壁とで構成されている。
【手続補正４】
【補正対象書類名】明細書
【補正対象項目名】図面の簡単な説明
【補正方法】変更
【補正の内容】
【図面の簡単な説明】
【図１】本発明に成る例の構造を示す。
【図２】本発明に成る別の例の構造を示す。
【図３】従来技術の構造を示す。
【図４】従来技術の構造を示す。
【符号の説明】
１　　　　　　補強用のリブ
２　　　　　　外装ケース
３　　　　　　空気クリーニング部
４　　　　　　プロジェクタ保護ケース
５　　　　　　プロジェクタ
６　　　　　　プロジェクタ空気取り入れ口
７　　　　　　空気の流れ
８　　　　　　空気導入通路
９　　　　　　プロジェクタ空気排出口
１０　　　　　　空気排出口
１１　　　　　　従来技術の外装
１２　　　　　　従来技術の空気クリーニング部
１３　　　　　　従来技術のプロジェクタ保護ケース
１４　　　　　　従来技術の空気の流れ
１５　　　　　　従来技術の空気排出口
【プルーフの要否】要